(57)【要約】    【課題】  遊技領域上方からパチンコ球を落下させる際に、パチンコ球の球詰りや誤落下を防止しながら、パチンコ球の落下位置を精度良く調整できるようにする。    【解決手段】  遊技領域１３の下方に球発射装置２２を配置し、この球発射装置２２から遊技領域１３の上方に打ち込まれたパチンコ球が案内レール２６の内周面に沿って遊技領域１３上方の左端側から右端側へ向けて移動するようにする。また、落下位置調整部材２７を案内レール２６の内周面に沿って左右方向に移動可能に設け、この落下位置調整部材２７の左側部に球案内壁２８を形成する。そして、操作ハンドル２１で落下位置調整部材２７（球案内壁２８）の左右方向の移動位置を操作して、案内レール２６の内周面に沿って移動するパチンコ球が球案内壁２８に当って下向き跳ね返る位置を調整することで、遊技領域１３に対するパチンコ球の左右方向の落下位置を調整する。    【選択図】  図１
2006212262.tif 000002
【特許請求の範囲】
【請求項１】
遊技機の遊技領域上方から遊技球を落下させて該遊技領域内に該遊技球を供給する遊技機の球供給構造において、
前記遊技球を前記遊技領域上方の一端側から他端側へ向かうように移動させる球移動手段と、
前記遊技領域上方で左右方向に移動可能に設けられ、前記遊技領域上方の一端側から他端側へ向けて移動する遊技球を前記遊技領域へ落下させるように案内する球案内壁と、
前記球案内壁の左右方向の移動位置を操作する操作手段とを備え、
前記操作手段で前記球案内壁の左右方向の移動位置を操作して前記遊技球の落下位置を調整するように構成されていることを特徴とする遊技機の球供給構造。
【請求項２】
前記球移動手段は、前記遊技球を発射する球発射装置と、前記遊技領域側が内周面となるように湾曲して該遊技領域上方の一端側から他端側へ延びるように形成された案内レールとを備え、前記球発射装置により前記遊技球が前記案内レールの内周面に沿って前記遊技領域上方の一端側から他端側まで移動するのに必要な発射力で前記遊技球を発射することを特徴とする請求項１に記載の遊技機の球供給構造。
【請求項３】
前記球発射装置は、前記遊技領域下方から前記遊技球を略鉛直上方に向けて発射するように配置されていることを特徴とする請求項２に記載の遊技機の球供給構造。
【請求項４】
前記球案内壁が前記遊技領域上方の他端側から一端側へ移動するに従って該球案内壁が下向きに変化するように構成されていることを特徴とする請求項２又は３に記載の遊技機の球供給構造。
【請求項５】
前記球案内壁は、前記遊技球が当ったときの衝撃を吸収する衝撃吸収材で形成されていることを特徴とする請求項１乃至４のいずれかに記載の遊技機の球供給構造。
【発明の詳細な説明】
【技術分野】
【０００１】
本発明は、遊技機の遊技領域上方から遊技球を落下させて該遊技領域内に該遊技球を供給する遊技機の球供給構造に関するものである。
【背景技術】
【０００２】
一般に、パチンコ機等の遊技機は、遊技盤の前面に遊技領域を形成して、この遊技領域の下方に球発射装置を配置し、この球発射装置で発射した遊技球を略円弧状の案内レール（外レール）に沿って遊技領域の側方から上方に打ち込んで遊技領域内に落下させるようにしている。その際、発射操作ハンドルで球発射装置の発射力を操作して遊技球の飛び量を調整することで遊技領域に対する遊技球の左右方向の落下位置を調整するようにしている。
【０００３】
このように球発射装置の発射力を操作して遊技球の落下位置を調整する従来方式では、遊技球の落下位置を調整する際に、熟練者でないと遊技球の落下位置を速やかに所望の狙い位置に調整することが難しく、無駄球（所望の狙い位置に落下しない遊技球）が多くなってしまう。
【０００４】
そこで、特許文献１（特開平１０−１５１５７号公報）に記載されているように、遊技領域上方に、遊技球を放出する放出ノズルを左右方向に揺動可能に設け、操作ハンドルで放出ノズルの方向（遊技球の放出方向）を操作して遊技球の落下位置を調整するようにしたものがある。
【０００５】
また、特許文献２（特開平１０−２０１８９９号公報）に記載されているように、遊技領域上方に、遊技球が転動する球通路を左右方向に延びるように配置して、この球通路の底面に、遊技球を落下させる落下口を左右方向に移動可能に設け、操作ハンドルで落下口の移動位置を操作して遊技球の落下位置を調整するようにしたものもある。
【特許文献１】特開平１０−１５１５７号公報（第２頁、第１図等）
【特許文献２】特開平１０−２０１８９９号公報（第２頁、第１図等）
【発明の開示】
【発明が解決しようとする課題】
【０００６】
しかし、上記特許文献１のように、放出ノズルの方向を操作して遊技球の落下位置を調整する方式では、連続的に供給される遊技球を放出ノズル内に流し込む必要があるため、放出ノズルの入口付近等で球詰りが発生する可能性がある。この対策として、放出ノズルの孔径を大きくすると、遊技球の落下位置を精度良く調整することができなくなる欠点がある。
【０００７】
また、上記特許文献２のように、球通路底面の落下口の移動位置を操作して遊技球の落下位置を調整する方式では、球通路を転動する遊技球が落下口を飛び越えて、落下口とは別の場所から遊技球が落下する誤落下が発生する可能性がある。この対策として、落下口を大きくすると、遊技球の落下位置を精度良く調整することができなくなる欠点がある。      
【０００８】
本発明は、これらの事情を考慮してなされたものであり、従って本発明の目的は、熟練者でなくても遊技球の落下位置を簡単に調整することができると共に、遊技球の球詰りや誤落下を防止しながら、遊技球の落下位置の調整精度を向上させることができる遊技機の球供給構造を提供することにある。
【課題を解決するための手段】
【０００９】
上記目的を達成するために、請求項１に係る発明は、遊技機の遊技領域上方から遊技球を落下させて該遊技領域内に該遊技球を供給する遊技機の球供給構造において、遊技球を遊技領域上方の一端側から他端側へ向かうように移動させる球移動手段と、遊技領域上方で左右方向に移動可能に設けられ、遊技領域上方の一端側から他端側へ向けて移動する遊技球を遊技領域へ落下させるように案内する球案内壁と、球案内壁の左右方向の移動位置を操作する操作手段とを備え、操作手段で球案内壁の左右方向の移動位置を操作して遊技球の落下位置を調整するように構成したものである。
【００１０】
この構成では、操作手段で操作した球案内壁の移動位置が遊技球の落下位置の目安となって遊技球の落下位置をある程度予測することができるため、遊技球の落下位置を簡単に所望の狙い位置に調整することができ、無駄球を少なくすることができる。しかも、放出ノズルや落下口ではなく、球案内壁で遊技球を遊技領域へ落下させるため、球詰りや誤落下を発生させることなく、球案内壁の移動位置で確実に遊技球を遊技領域へ落下させることができ、遊技球の落下位置を精度良く調整することができる。また、本発明では、従来の一般的な遊技機（球発射装置の発射力を操作して遊技球の落下位置を調整する遊技機）では遊技球を落下させるのが困難であった領域（例えば遊技領域の左端部等）にも遊技球を簡単に落下させることが可能となり、従来にはない新たな形状や盤面構成（役物の配置等）の遊技領域を実現できるという利点もある。
【００１１】
この場合、請求項２のように、球移動手段は、遊技球を発射する球発射装置と、遊技領域側が内周面となるように湾曲して該遊技領域上方の一端側から他端側へ延びるように形成された案内レールとを設け、球発射装置により遊技球が案内レールの内周面に沿って遊技領域上方の一端側から他端側まで移動するのに必要な発射力で遊技球を発射するようにすると良い。このようにすれば、遊技球を遊技領域上方の一端側から他端側へ転動させる球通路等を設けなくても、球発射装置により発射した遊技球を案内レールの内周面に沿ってほぼ一定の軌道（略円弧状の軌道）で遊技領域上方の一端側から他端側へ向けて移動させることができる。
【００１２】
この場合、球発射装置を遊技領域の側方や上方に配置する構成としても良いが、この構成では、遊技領域下方に配置された球皿内の遊技球を遊技領域の側方又は上方に配置された球発射装置の位置まで持ち上げる装置が必要となり、その分、コストアップする。
【００１３】
そこで、請求項３のように、球発射装置は、遊技領域下方から遊技球を略鉛直上方に向けて発射するように配置すると良い。このようにすれば、球皿内の遊技球を遊技領域の側方や上方まで持ち上げる装置を設ける必要がなく、低コスト化することができる。また、遊技領域下方から斜め上方に向けて発射する球発射装置に比べて、遊技機下部の空間を遊技領域として広く使用することができるので、遊技領域を下方方向へ拡大することもできる。
【００１４】
更に、請求項４のように、球案内壁が遊技領域上方の他端側から一端側へ移動するに従って球案内壁が下向きに変化するようにしても良い。このようにすれば、遊技領域上方の一端側に近い位置ほど遊技球の移動方向が上向きになるのに応じて球案内壁を下向きにして、球案内壁に対する遊技球の跳ね返り方向を下向きにすることができ、遊技球を確実に下方に落下させることができる。
【００１５】
また、請求項５のように、球案内壁は、遊技球が当ったときの衝撃を吸収する衝撃吸収材で形成すると良い。このようにすれば、遊技球が球案内壁に当ったときの跳ね返り量を少なくして、遊技球の落下位置のばらつきを小さくすることができ、遊技球の落下位置の調整精度を更に向上させることができる。
【発明を実施するための最良の形態】
【００１６】
以下、本発明を実施するための最良の形態を４つの実施例１〜４を用いて説明する。
【実施例１】
【００１７】
本発明の実施例１を図１乃至図４に基づいて説明する。
まず、図１に基づいてパチンコ機（遊技機）の前面側の概略構成を説明する。パチンコ機１１の前面側には、遊技盤１２が取り付けられ、この遊技盤１２の前面に、遊技領域１３が内レール１４，外レール１５等によって区画形成されている。この遊技領域１３の中央部には、センター役物１６が設けられ、このセンター役物１６の下方に、始動入賞装置１７と可変入賞装置１８が設けられ、これ以外の遊技領域１３の複数箇所に、通常の入賞口１９等が設けられている。
【００１８】
一方、パチンコ機１１の前面側下部には、パチンコ球（遊技球）を貯溜する球皿２０や後述する落下位置調整部材２７を操作する操作ハンドル２１（操作手段）等が設けられ、パチンコ機１１の左側下部には、球皿２０から供給されるパチンコ球を発射する球発射装置２２が設けられている。この球発射装置２２は、打球槌２３でパチンコ球を下方から打撃することで、パチンコ球をほぼ鉛直上方に打ち上げるようになっている。この球発射装置２２から発射されたパチンコ球は、内レール１４と外レール１５との間に形成された案内流路２４を通って遊技領域１３の上方に打ち込まれる。また、案内流路２４の出口部には、一旦、遊技領域１３上方に打ち込まれたパチンコ球が、案内流路２４に逆戻りすることを防止する逆戻り防止弁２５が設けられている。
【００１９】
次に、図２及び図３を用いて、遊技領域１３上方に打ち込まれたパチンコ球の落下位置を調整する落下位置調整機構について説明する。図２に示すように、遊技領域１３上方に設けられた案内レール２６（外レール１５の上側部分）は、遊技領域１３側が内周面となるように略円弧状に湾曲して遊技領域１３上方の左端側から右端側へ延びるように形成されている。前述した球発射装置２２（図１参照）の発射力は、球発射装置２２から遊技領域１３の上方に打ち込まれたパチンコ球が案内レール２６の内周面に沿って遊技領域１３上方の左端側から右端側まで移動するのに必要な一定の発射力に設定されている。これにより、球発射装置２２から遊技領域１３の上方に打ち込まれたパチンコ球が、毎回、案内レール２６の内周面に沿ってほぼ一定の軌道（略円弧状の軌道）で遊技領域１３上方の左端側から右端側へ向けて移動するようになっている。これらの球発射装置２２、案内レール２６等から球移動手段が構成されている。
【００２０】
また、案内レール２６の下方には、パチンコ球の落下位置を調整する落下位置調整部材２７が、遊技者がその位置を認識可能なように案内レール２６の内周面に沿って左右方向に移動可能に設けられている。この落下位置調整部材２７の左側部には、パチンコ球を遊技領域１３へ落下させるように案内する球案内壁２８が形成され、案内レール２６の内周面に沿って遊技領域１３上方の左端側から右端側へ向けて移動するパチンコ球が球案内壁２８に当って下向きに跳ね返ることで、該パチンコ球が遊技領域１３へ落下するようになっている。落下位置調整部材２７の全体（又は落下位置調整部材２７のうちの少なくとも球案内壁２８を形成する部分）は、パチンコ球が当ったときの衝撃を吸収する衝撃吸収材（例えばウレタン樹脂等）で形成され、パチンコ球が球案内壁２８に当ったときの跳ね返り量を少なくするようにしている。
【００２１】
図３に示すように、遊技盤１２のうちの案内レール２６の下方には、落下位置調整部材２７を移動可能に支持する支持部材２９が埋め込まれている。この支持部材２９には、案内レール２６に沿って略円弧状に湾曲した湾曲スリット３０（図２参照）が形成され、この湾曲スリット３０に、落下位置調整部材２７の裏面側に固定された支持軸３１が挿通されて支持されることで、落下位置調整部材２７が湾曲スリット３０に沿って移動できるようになっている。また、支持部材２９には、湾曲スリット３０に沿って延びる凹溝３２が形成され、落下位置調整部材２７の支持軸３１に設けられた突起部３３が支持部材２９の凹溝３２に嵌合されることで、落下位置調整部材２７の支持軸３１が支持部材２９に対して前後方向に抜け止め保持されている。
【００２２】
一方、図２に示すように、遊技盤１２の裏面側には、ステッピングモータ３４で回動駆動される駆動プーリ３５と、回動自在な従動プーリ３６とが所定の間隔を隔てて配置され、これらの駆動プーリ３５と従動プーリ３６に、ワイヤ、チェーン、ベルト、ケーブルラック（ワイヤ等を芯材とした曲げ変形可能なラック）等のベルト部材３７が掛け渡されている。この両プーリ３５，３６に掛け渡されたベルト部材３７の下側部分には、連結部材３８がベルト部材３７の下側部分と一体的に左右方向にスライド移動するように連結され、この連結部材３８に形成された長孔３９に、落下位置調整部材２７の支持軸３１の後端部が挿通されて連結されている。
【００２３】
これにより、ステッピングモータ３４の回動による駆動プーリ３５の回動に伴ってベルト部材３７の下側部分が左右方向に移動すると、その駆動力が連結部材３８と支持軸３１を介して落下位置調整部材２７に伝達されて、落下位置調整部材２７が略円弧状の湾曲スリット３０に沿って左右方向に移動するようになっている。その際、落下位置調整部材２７の上面壁４０（又は上面壁４０に設けた回転体）が案内レール２６の内周面に接触しながら移動することで、落下位置調整部材２７（球案内壁２８）が遊技領域１３上方の右端側から左端側へ移動するに従って落下位置調整部材２７が左方向に傾動して球案内壁２８が下向きに変化するようになっている（図２の二点鎖線参照）。
【００２４】
また、図４に示すように、操作ハンドル２１には、遊技者が操作ハンドル２１に触れたことを検出するタッチセンサ４１と、操作ハンドル２１の回動方向と回動量を検出する回動センサ４２が設けられている。これらのタッチセンサ４１と回動センサ４２の出力信号は、パチンコ機１１の制御回路４３に入力される。この制御回路４３は、タッチセンサ４１と回動センサ４２の出力信号に基づいて球発射装置２２とステッピングモータ３４を次のように制御する。
【００２５】
制御回路４３は、遊技者が操作ハンドル２１に触れたことをタッチセンサ４１で検出したときに、球発射装置２２を一定の発射力で発射動作させる。これにより、球発射装置２２から遊技領域１３の上方に打ち込まれたパチンコ球が、毎回、案内レール２６の内周面に沿ってほぼ一定の軌道（略円弧状の軌道）で遊技領域１３上方の左端側から右端側へ向けて移動する。
【００２６】
更に、制御回路４３は、操作ハンドル２１が正回転方向（例えば図１において反時計回り方向）に回動されたことを回動センサ４２で検出したときには、その回動量に応じてステッピングモータ３４を正回転方向（例えば図２において時計回り方向）に回動させて、ベルト部材３７の下側部分を左方向に移動させる。これにより、操作ハンドル２１の正回転方向の回動量に応じて落下位置調整部材２７を湾曲スリット３０に沿って左方向に移動させる。
【００２７】
一方、操作ハンドル２１が逆回転方向（例えば図１において時計回り方向）に回動されたことを回動センサ４２で検出したときには、その回動量に応じてステッピングモータ３４を逆回転方向（例えば図２において反時計回り方向）に回動させて、ベルト部材３７の下側部分を右方向に移動させる。これにより、操作ハンドル２１の逆回転方向の回動量に応じて落下位置調整部材２７を湾曲スリット３０に沿って右方向に移動させる。
【００２８】
このようにして、操作ハンドル２１で落下位置調整部材２７（球案内壁２８）の左右方向の移動位置を操作して、案内レール２６の内周面に沿って遊技領域１３上方の左端側から右端側へ向けて移動するパチンコ球が球案内壁２８に当って下向きに跳ね返る位置を調整することで、遊技領域１３に対するパチンコ球の左右方向の落下位置を調整するようになっている。
【００２９】
尚、タッチセンサ４１に代えて、球発射装置２２の発射動作を開始／停止させる発射スイッチを操作ハンドル２１又はそれ以外の場所（例えばパチンコ機１１の前面パネル等）に設けた構成としても良い。この場合、操作ハンドル２１で落下位置調整部材２７（球案内壁２８）の左右方向の移動位置を操作した後に、発射スイッチで球発射装置２２の発射動作を開始することができる。
【００３０】
以上説明した本実施例１では、操作ハンドル２１で操作した落下位置調整部材２７（球案内壁２８）の移動位置がパチンコ球の落下位置の目安となってパチンコ球の落下位置をある程度予測することができるため、パチンコ球の落下位置を簡単に所望の狙い位置に調整することができ、無駄球を少なくすることができる。しかも、球案内壁２８でパチンコ球を下向きに跳ね返して遊技領域１３へ落下させるため、球詰りや誤落下を発生させることなく、球案内壁２８の移動位置で確実にパチンコ球を遊技領域１３へ落下させることができ、パチンコ球の落下位置を精度良く調整することができる。また、従来の一般的なパチンコ機（球発射装置の発射力を操作してパチンコ球の落下位置を調整するパチンコ機）ではパチンコ球を落下させるのが困難であった領域（例えば遊技領域の左端部等）にもパチンコ球を簡単に落下させることが可能となり、従来にはない新たな形状や盤面構成（役物の配置等）の遊技領域１３を実現できるという利点もある。
【００３１】
また、本実施例１では、球発射装置２２から遊技領域１３の上方に打ち込まれたパチンコ球が案内レール２６の内周面に沿って遊技領域１３上方の左端側から右端側まで移動するのに必要な一定の発射力でパチンコ球を発射するようにしたので、パチンコ球を遊技領域１３上方の左端側から右端側へ転動させる球通路等を新たに設けなくても、球発射装置２２から遊技領域１３の上方に打ち込まれたパチンコ球を、毎回、案内レール２６の内周面に沿ってほぼ一定の軌道（略円弧状の軌道）で遊技領域１３上方の左端側から右端側へ向けて移動させることができ、パチンコ球の落下位置の調整精度を向上させることができる。また、球発射装置２２の発射力を一定値に保つだけで良いので、従来の球発射装置のように発射力を可変して遊技領域に供給するパチンコ球の供給位置を制御する方式に比べて、発射制御を簡易化して低コスト化することができる。
【００３２】
更に、本実施例１では、パチンコ機１１の左側下部に球発射装置２２を配置して、球皿２０から供給されるパチンコ球を球発射装置２２で遊技領域１３下方から略鉛直上方に向けて発射するようにしたので、球皿２０から供給されるパチンコ球を遊技領域１３の側方や上方まで持ち上げる装置を設ける必要がなく、低コスト化することができる。
【００３３】
また、本実施例１では、落下位置調整部材２７の球案内壁２８を衝撃吸収材で形成するようにしたので、パチンコ球が球案内壁２８に当ったときの跳ね返り量を少なくして、パチンコ球の落下位置のばらつきを小さくすることができ、パチンコ球の落下位置の調整精度を更に向上させることができる。
【００３４】
更に、本実施例１では、落下位置調整部材２７（球案内壁２８）が遊技領域１３上方の右端側から左端側へ移動するに従って球案内壁２８が下向きに変化するようにしたので、遊技領域１３上方の左端側に近い位置ほどパチンコ球の移動方向が上向きになるのに応じて球案内壁２８を下向きにして、球案内壁２８に対するパチンコ球の跳ね返り方向を下向きにすることができ、パチンコ球を確実に下方に落下させることができる。
【実施例２】
【００３５】
次に、図５を用いて本発明の実施例２を説明する。本実施例２では、遊技盤１２の裏面側に、ステッピングモータ３４で回動駆動される駆動プーリ３５と、ワイヤ４４を巻き取る巻取ローラ４５とが所定の間隔を隔てて配置されている。この巻取ローラ４５は、ゼンマイ等の付勢手段によりワイヤ４４を巻き取る方向（図５において時計回り方向）に回動付勢され、この巻取ローラ４５にワイヤ４４の一端側が巻き回され、駆動プーリ３５にワイヤ４４の他端側が巻き回されている。このワイヤ４４の所定箇所に、連結部材３８がワイヤ４４と一体的に左右方向にスライド移動するように連結されている。
【００３６】
これにより、ステッピングモータ３４の回動による駆動プーリ３５の回動に伴ってワイヤ４４が左右方向に移動すると、その駆動力が連結部材３８と支持軸３１を介して落下位置調整部材２７に伝達されて、落下位置調整部材２７が湾曲スリット３０に沿って左右方向に移動するようになっている。
【００３７】
パチンコ機１１の制御回路４３は、操作ハンドル２１が正回転方向に回動されたときに、その回動量に応じてステッピングモータ３４を正回転方向に回動させてワイヤ４４を左方向に移動させることで、操作ハンドル２１の正回転方向の回動量に応じて落下位置調整部材２７を湾曲スリット３０に沿って左方向に移動させる。
【００３８】
一方、操作ハンドル２１が逆回転方向に回動されたときに、その回動量に応じてステッピングモータ３４を逆回転方向に回動させてワイヤ４４を右方向に移動させることで、操作ハンドル２１の逆回転方向の回動量に応じて落下位置調整部材２７を湾曲スリット３０に沿って右方向に移動させる。
【００３９】
以上説明した本実施例２においても、操作ハンドル２１で落下位置調整部材２７（球案内壁２８）の左右方向の移動位置を操作してパチンコ球の落下位置を調整することができ、前記実施例１と同じ効果を得ることができる。
【実施例３】
【００４０】
図６に示す本発明の実施例３では、リニアソレノイド、油圧シリンダ、エアシリンダ等のリニアアクチュエータ４６で落下位置調整部材２７を駆動するようにしている。このリニアアクチュエータ４６は、プランジャ４７が左右方向にスライド移動するように横向きに配置され、このプランジャ４７の先端部に、連結部材３８がプランジャ４７と一体的に左右方向にスライド移動するように連結されている。
【００４１】
これにより、リニアアクチュエータ４６のプランジャ４７が左右方向に移動すると、その駆動力が連結部材３８と支持軸３１を介して落下位置調整部材２７に伝達されて、落下位置調整部材２７が湾曲スリット３０に沿って左右方向に移動するようになっている。
【００４２】
パチンコ機１１の制御回路４３は、操作ハンドル２１が正回転方向に回動されたときに、その回動量に応じてリニアアクチュエータ４６のプランジャ４７を左方向に移動させることで、操作ハンドル２１の正回転方向の回動量に応じて落下位置調整部材２７を湾曲スリット３０に沿って左方向に移動させる。
【００４３】
一方、操作ハンドル２１が逆回転方向に回動されたときに、その回動量に応じてリニアアクチュエータ４６のプランジャ４７を右方向に移動させることで、操作ハンドル２１の逆回転方向の回動量に応じて落下位置調整部材２７を湾曲スリット３０に沿って右方向に移動させる。
【００４４】
以上説明した本実施例３においても、操作ハンドル２１で落下位置調整部材２７（球案内壁２８）の左右方向の移動位置を操作してパチンコ球の落下位置を調整することができ、前記実施例１と同じ効果を得ることができる。
【実施例４】
【００４５】
図７に示す本発明の実施例４では、リニアモータ４８で落下位置調整部材２７を駆動するようにしている。このリニアモータ４８は、移動テーブル４９が左右方向にスライド移動するように横向きに配置され、移動テーブル４９側に固定した１次側コイル５０に発生する移動磁界と、レール５１側に固定した２次側導体５２に流れる電流とによって発生する電磁力を推進力として、移動テーブル４９を左右方向にスライド移動させるようになっている。このリニアモータ４８の移動テーブル４９に、連結部材３８が移動テーブル４９と一体的に左右方向にスライド移動するように連結されている。
【００４６】
これにより、リニアモータ４８の移動テーブル４９が左右方向に移動すると、その駆動力が連結部材３８と支持軸３１を介して落下位置調整部材２７に伝達されて、落下位置調整部材２７が湾曲スリット３０に沿って左右方向に移動するようになっている。
【００４７】
パチンコ機１１の制御回路４３は、操作ハンドル２１が正回転方向に回動されたときに、その回動量に応じてリニアモータ４８の移動テーブル４９を左方向に移動させることで、操作ハンドル２１の正回転方向の回動量に応じて落下位置調整部材２７を湾曲スリット３０に沿って左方向に移動させる。
【００４８】
一方、操作ハンドル２１が逆回転方向に回動されたときに、その回動量に応じてリニアモータ４８の移動テーブル４９を右方向に移動させることで、操作ハンドル２１の逆回転方向の回動量に応じて落下位置調整部材２７を湾曲スリット３０に沿って右方向に移動させる。
【００４９】
以上説明した本実施例４においても、操作ハンドル２１で落下位置調整部材２７（球案内壁２８）の左右方向の移動位置を操作してパチンコ球の落下位置を調整することができ、前記実施例１と同じ効果を得ることができる。
【００５０】
尚、上記各実施例１〜４では、遊技領域１３の下方に球発射装置２２を配置した構成としたが、これに限定されず、遊技領域１３の側方又は上方に球発射装置２２を配置して、球皿２０内のパチンコ球を遊技領域１３の側方又は上方に配置された球発射装置２２の位置まで持ち上げる装置、又は、パチンコ機１１の上方から球発射装置２２にパチンコ球を供給する装置を備えた構成としても良い。
【００５１】
また、上記各実施例１〜４では、パチンコ球を遊技領域１３上方の左端側から右端側へ移動させる構成としたが、これとは逆に、パチンコ球を遊技領域１３上方の右端側から左端側へ移動させる構成としても良い。
【００５２】
また、球発射装置２２は、パチンコ機１１の下部の一端側から他端側の上方に向けて斜め上方に打ち上げる方式でも良いし、パチンコ機１１の下部中央から斜め上方に打ち上げる方式でも良い。
【００５３】
また、落下位置調整部材２７の初期位置を左側にして、操作ハンドル２１の操作に応じて落下位置調整部材２７が右側に移動するようにしても良い。
また、落下位置調整部材２７の移動（駆動）が所定時間停止した後に、球発射装置２２が発射動作を開始する制御を行うようにしても良い。
【００５４】
また、パチンコ機１１の電源投入後に、落下位置調整部材２７を初期位置に移動させる（戻す）制御を行うようにしても良い。
また、本発明の適用範囲は、一般のパチンコ機に限定されず、アレンジ式のパチンコ機やパチスロ機等、遊技領域上方から遊技球を落下させる種々の遊技機に本発明を適用しても良い。
【図面の簡単な説明】
【００５５】
【図１】本発明の実施例１におけるパチンコ機の正面図である。
【図２】実施例１の落下位置調整部材及びその周辺の正面図である。
【図３】実施例１の落下位置調整部材及びその周辺の縦断面図である。
【図４】実施例１の落下位置調整機構等の電気的構成を示すブロック図である。
【図５】実施例２の落下位置調整部材及びその周辺の正面図である。
【図６】実施例３の落下位置調整部材及びその周辺の正面図である。
【図７】実施例４の落下位置調整部材及びその周辺の縦断面図である。
【符号の説明】
【００５６】
１１…パチンコ機（遊技機）、１２…遊技盤、１３…遊技領域、１４…内レール、１５…外レール、２０…球皿、２１…操作ハンドル（操作手段）、２２…球発射装置（球移動手段）、２６…案内レール（球移動手段）、２７…落下位置調整部材、２８…球案内壁、３０…湾曲スリット、３４…ステッピングモータ、３５…駆動プーリ、３６…従動プーリ、３７…ベルト部材、４４…ワイヤ、４５…巻取ローラ、４６…リニアアクチュエータ、４７…プランジャ、４８…リニアモータ、４９…移動テーブル
【図１】
2006212262.tif 000003
【図２】
2006212262.tif 000004
【図３】
2006212262.tif 000005
【図４】
2006212262.tif 000006
【図５】
2006212262.tif 000007
【図６】
2006212262.tif 000008
【図７】
2006212262.tif 000009